(57)【特許請求の範囲】
【請求項１】
室内の空気を吸込み、加熱または冷却または除湿または浄化などを行ってから前記室内へ排気される空気流路を有し、前記空気流路の途中にフィルター機能を有する家電機器において、前記フィルター機能を、サイクロン室と前記サイクロン室の側面の接線方向に形成する前記室内に吸込んだ空気を吸込むサイクロン吸込口と前記サイクロン室の側面の接線方向に形成するサイクロン排出口とにより構成され、前記サイクロン室に旋回流を発生させて前記室内の吸込んだ空気中の埃や糸くずなどの捕集を行う糸くず捕集装置とし、前記サイクロン室内に水を供給し、前記室内の吸込んだ空気の水冷除湿を行う除湿水管を設け、前記糸くず捕集装置のサイクロン室の逆円錐形状の先端に、分離捕集した糸くずの機外への排出兼排水室を形成したことを特徴とする空気循環路を有する家電機器。
【請求項２】
室内の空気を吸込み、加熱または冷却または除湿または浄化などを行ってから前記室内へ排気される空気流路を有し、前記空気流路の途中にフィルター機能を有する家電機器において、前記フィルター機能を、サイクロン室と前記サイクロン室の側面の接線方向に形成する前記室内に吸込んだ空気を吸込むサイクロン吸込口と前記サイクロン室の側面の接線方向に形成するサイクロン排出口とにより構成され、前記サイクロン室に旋回流を発生させて前記室内の吸込んだ空気中の埃や糸くずなどの捕集を行う糸くず捕集装置とし、前記サイクロン室の外壁面を冷却する手段を有し、前記室内の吸込んだ空気が吸込まれるサイクロン室の内壁面に結露させて除湿を行い、前記糸くず捕集装置のサイクロン室に、分離捕集した糸くずの機外への排出と前記除湿水路から供給された水の排水とを行う排出兼排水室を形成したことを特徴とする空気循環路を有する家電機器。
【請求項３】
衣類が収納され回転する脱水槽に温風を供給して前記衣類の乾燥を行う衣類乾燥機において、サイクロン室と前記サイクロン室の側面の接線方向に形成する前記脱水槽内の衣類と接触した高湿温風を吸込むサイクロン吸込口と前記サイクロン室の上面中心に形成するサイクロン排出口とにより構成され、前記サイクロン室に旋回流を発生させて前記衣類から発生する糸くずの捕集を行う糸くず捕集装置を前記温風の流路途中に設け、前記旋回流に基づく遠心力により前記温風中の糸くずを分離捕集して排出し、前記サイクロン室内に水を供給し、前記衣類と接触した高湿温風の水冷除湿を行う除湿水管を設け、前記糸くず捕集装置のサイクロン室の逆円錐形状の先端に、分離捕集した糸くずの機外への排出と前記除湿水管から供給された水の排水とを行う排出兼排水室を形成したことを特徴とする衣類乾燥機または洗濯乾燥機。
【請求項４】
衣類が収納され回転する脱水槽に温風を供給して前記衣類の乾燥を行う衣類乾燥機において、サイクロン室と前記サイクロン室の側面の接線方向に形成する前記脱水槽内の衣類と接触した高湿温風を吸込むサイクロン吸込口と前記サイクロン室の上面中心に形成するサイクロン排出口とにより構成され、前記サイクロン室に旋回流を発生させて前記衣類から発生する糸くずの捕集を行う糸くず捕集装置を前記温風の流路途中に設け、前記旋回流に基づく遠心力により前記温風中の糸くずを分離捕集して排出し、前記サイクロン室の外壁面を冷却する手段を有し、前記衣類と接触した高湿温風が吸込まれるサイクロン室の内壁面に結露させて除湿を行い、前記糸くず捕集装置のサイクロン室に、分離捕集した糸くずの機外への排出と前記除湿水管から供給された水の排水とを行う排出兼排水室を形成したことを特徴とする衣類乾燥機または洗濯乾燥機。
【請求項５】
外箱内部に弾性的に吊支した水槽と、回転中心軸を鉛直方向に有し前記水槽内に回転自在に支持し衣類を収容する脱水槽と、前記脱水槽の内底部に回転自在に設けた撹拌翼と、前記脱水槽または撹拌翼を駆動する駆動手段と、前記脱水槽内に温風が供給されて脱水槽内に収容される衣類に接触させて乾燥を行うものであって、前記衣類と接触した高湿温風を排出する吹出口を前記水槽の上方に形成し、サイクロン室と前記サイクロン室の側面の接線方向に形成する前記脱水槽内の衣類と接触した高湿温風を吸込むサイクロン吸込口と前記サイクロン室の上面中心に形成するサイクロン排出口とにより構成される糸くず捕集装置を有し、前記糸くず捕集装置を前記水槽の上方に位置するように前記糸くず捕集装置のサイクロン吸込口と前記吹出口とを接続し、前記サイクロン室に旋回流を発生させて前記衣類から発生する糸くずの捕集を行うことを特徴とする洗濯乾燥機。
【請求項６】
衣類が収納され回転する脱水槽に温風を供給して前記衣類の乾燥を行う衣類乾燥機において、サイクロン室と前記サイクロン室の側面の接線方向に形成する前記脱水槽内の衣類と接触した高湿温風を吸込むサイクロン吸込口と前記サイクロン室の上面中心に形成するサイクロン排出口とにより構成され、前記サイクロン室に旋回流を発生させて前記衣類から発生する糸くずの捕集を行う糸くず捕集装置を前記温風の流路途中にある前記脱水槽の上部開口を覆う開閉自在な内フタに設け、前記旋回流に基づく遠心力により前記温風中の糸くずを分離捕集して前記糸くず捕集装置の集塵ボックス内に溜めることを特徴とする衣類乾燥機または洗濯乾燥機。
【請求項７】
前記集塵ボックスは、前記糸くず捕集装置のサイクロン室に隣接し、取り外し可能に接続したことを特徴とする請求項６記載の衣類乾燥機または洗濯乾燥機。
【請求項８】
前記集塵ボックスは、透明な材質で形成されることを特徴とする請求項１〜７記載の洗濯乾燥機。
【発明の詳細な説明】
【０００１】
【発明の属する技術分野】
本発明は、空気循環路を有する電気機器または衣類乾燥機または洗濯乾燥機に関するものである。
【０００２】
【従来の技術】
図９と図１０は、例えば特開２００１−３００１９２号公報に示された従来の洗濯乾燥機を示す断面図と要部拡大断面図である。ここでは、空気流路を有する家電機器として洗濯乾燥機で説明する。図に示すように、筐体５１は外槽５２をサスペンション５３により懸垂防振支持している。外槽５２の内部に回転中心軸を鉛直方向に有する脱水槽５４を回転自在に設け、この脱水槽５４の中央底部に回転翼５５を回転自在に設け、脱水槽５４の上方に流入バランサー５６を設けている。外槽５２の下方にモータ５７を設け、中空で二軸構造となった洗濯・脱水軸５８、および洗濯または脱水時によって回転力の伝達を洗濯・脱水軸５８に切り換えるクラッチ５９を介して、脱水槽５４または回転翼５５に連結している。乾燥用送風機６０は、ヒータ６１により加熱された温風を温風噴出口６２より脱水槽５４に送風するもので、筐体５１の略上方に設けている。熱交換ダクト６３は、湿った温風の除湿を行うもので、一端を外槽５２の排水経路口６４に接続した接続ダクト６５に接続し、他端を乾燥用送風機６０に接続している。排水弁６６は、接続ダクト６５と熱交換ダクト６３からの排水を排水ダクト６７を通して排水弁６６に導き、排水ホース６８から機外へ排水するように構成している。外槽カバー６９は外槽５２の上面を気密的に覆うもので、この外槽カバー６９に内フタ７０を開閉自在に設け、衣類の出し入れを行うようにしている。
【０００３】
糸くず回収装置７１は、循環除湿経路７２を構成する熱交換ダクト６３と乾燥用送風機６０との間に連結し、熱交換ダクト６３と乾燥用送風機６０とを介して筐体５１に鉛直方向に配設している。この糸くず回収装置７１は、図９に示すように、循環除湿経路７２に連結する糸くず回収体７４とこの糸くず回収体７４に上方向に着脱自在なフィルター体７５とで構成し、フィルター体７５に複数のフィルター７６、７７を設けている。糸くず回収体７４は、吸気口７４ａを熱交換ダクト６３に連結し、吸気口７４ｂを乾燥用送風機６０の連結し、フィルター７６、７７を乾燥用送風機６０の吸気側に配置するよう構成している。ここで、フィルター７６は面状に形成してメッシュを密とし、フィルター７７は開口部を下方にした袋状に形成してメッシュを粗としている。フィルター体７５は、袋状のフィルター７７の下方の開口部の近傍に糸くず受け部７８を形成している。また、フィルター体７５は、フィルター７６，７７を挟んで気密用シール材７９と反対側にシール材８０を設け、糸くず回収体７４内に取り付けたとき、循環除湿経路７２内にフィルター７６、７７を気密に保持するように構成している。また、フィルター体７５は把手８１を有している。糸くず回収体７４は、下部に傾斜面８２を設け、糸くず、除湿水などを自然落下で、熱交換ダクト６３を通して排水弁６６より排出できるようにしている。
【０００４】
このように構成された従来の洗濯乾燥機の動作について、洗濯乾燥機の運転動作に沿って説明する。洗濯行程では、脱水槽５４に衣類と水または湯と洗剤を投入し、クラッチ５９を洗濯側に設定して、モータ５７の動力を洗濯軸を介し回転翼５５に伝達し、回転翼５５を回転させて衣類を水中で攪拌して洗濯し、その後、排水弁６６を開いて排水し、すすぎ行程で再度給水し洗濯骨映と同様にして衣類をすすぐ。脱水行程では、すすぎ終了後、脱水槽５４内の水を排水弁６６を開いて排水した後、クラッチ５９を脱水側に切り換えて、モータ５７の動力を脱水軸を介し脱水槽５４に伝達し、衣類に遠心力を与えることにより、水分を衣類から分離することで進行する。
【０００５】
乾燥行程では、まず、回転翼５５を正逆転させることにより、脱水時の遠心力で脱水槽５４の内壁に張り付いた衣類を引き剥がした後、回転翼５５を瞬間的に正逆の方向に強力に回転させて、衣類を脱水槽５４内で上方に放り上げるように攪拌する。同時に、ヒータ６１により加熱された温風を乾燥用送風機６０により温風噴出口６２に送る。温風噴出口６２より脱水槽５４に吹き込まれた温風は、衣類から水分を蒸発させた後、外槽５２の下部に設けた排水経路口６４、接続ダクト６５、熱交換ダクト６３、糸くず回収装置７１、乾燥用送風機６０、ヒータ６１、温風噴出口６２などで形成する循環除湿経路７２を循環する。衣類から水分を蒸発させた高温多湿空気は、外槽５２および熱交換ダクト６３を通過する際に、冷却用送風機（図示せず）の送風により冷却されて除湿し、その後、再び、乾燥用送風機６０、ヒータ６１に戻り乾燥される。乾燥行程で発生した糸くず、ほこりなどは、循環除湿経路７２を循環する循環風とともに循環し、糸くず回収装置７１でフィルター７６、７７により回収して除去される。そして、糸くず回収装置７２により回収した糸くず、ほこりなどは、フィルター体７５を取り出すことにより廃棄する。
【０００６】
【発明が解決しようとする課題】
上記のような従来の空気循環路を有する家電機器または衣類乾燥機または洗濯乾燥機では、空気中または温風中の埃や糸くずを回収する糸くず回収装置７１のフィルター体７５のフィルター７６、７７に埃や糸くずが溜まり目詰まりを起こさないようフィルター７６、７７の清掃を定期的に行う必要がある。しかしながら、フィルター７６、７７の清掃を怠り埃や糸くずによる目詰まりが生じてしまうと、循環除湿経路７２を流れる空気の抵抗となってしまい、風量が大きく下がり、乾燥効率が大幅に低下してしまうという問題点があった。
また、ヒータなどの加熱手段を有する従来の衣類乾燥機や洗濯乾燥機などでは、フィルター体７５の目詰まりにより、ヒータ６１を通過する空気量が減ってヒータ６１の熱が空気に伝達されないため、ヒータ６１が過加熱状態になってしまい安全性の面で望ましくないという問題点もあった。
【０００７】
この発明は、上述のような課題を解決するためになされたもので、空気循環流路中または乾燥運転中に発生する埃や糸くずを除去し、長時間にわたり安定した空気循環および乾燥効率と安全性が得られる空気循環路を有する家電機器または衣類乾燥機または洗濯乾燥機を得るものである。
【０００８】
【課題を解決するための手段】
この発明に係る空気循環路を有する家電機器または衣類乾燥器または洗濯乾燥機においては、室内の空気を吸込み、加熱または冷却または除湿または浄化などを行ってから前記室内へ排気される空気流路を有し、前記空気流路の途中にフィルター機能を有する家電機器において、前記フィルター機能を、サイクロン室と前記サイクロン室の側面の接線方向に形成する前記室内に吸込んだ空気を吸込むサイクロン吸込口と前記サイクロン室の側面の接線方向に形成するサイクロン排出口とにより構成され、前記サイクロン室に旋回流を発生させて前記室内の吸込んだ空気中の埃や糸くずなどの捕集を行う糸くず捕集装置とし、前記サイクロン室内に水を供給し、前記室内の吸込んだ空気の水冷除湿を行う除湿水管を設け、前記糸くず捕集装置のサイクロン室の逆円錐形状の先端に、分離捕集した糸くずの機外への排出兼排水室を形成したものである。
【０００９】
また、室内の空気を吸込み、加熱または冷却または除湿または浄化などを行ってから前記室内へ排気される空気流路を有し、前記空気流路の途中にフィルター機能を有する家電機器において、前記フィルター機能を、サイクロン室と前記サイクロン室の側面の接線方向に形成する前記室内に吸込んだ空気を吸込むサイクロン吸込口と前記サイクロン室の側面の接線方向に形成するサイクロン排出口とにより構成され、前記サイクロン室に旋回流を発生させて前記室内の吸込んだ空気中の埃や糸くずなどの捕集を行う糸くず捕集装置とし、前記サイクロン室の外壁面を冷却する手段を有し、前記室内の吸込んだ空気が吸込まれるサイクロン室の内壁面に結露させて除湿を行い、前記糸くず捕集装置のサイクロン室に、分離捕集した糸くずの機外への排出と前記除湿水路から供給された水の排水とを行う排出兼排水室を形成したものである。
【００１０】
また、衣類が収納され回転する脱水槽に温風を供給して前記衣類の乾燥を行う衣類乾燥機において、サイクロン室と前記サイクロン室の側面の接線方向に形成する前記脱水槽内の衣類と接触した高湿温風を吸込むサイクロン吸込口と前記サイクロン室の上面中心に形成するサイクロン排出口とにより構成され、前記サイクロン室に旋回流を発生させて前記衣類から発生する糸くずの捕集を行う糸くず捕集装置を前記温風の流路途中に設け、前記旋回流に基づく遠心力により前記温風中の糸くずを分離捕集して排出し、前記サイクロン室内に水を供給し、前記衣類と接触した高湿温風の水冷除湿を行う除湿水管を設け、前記糸くず捕集装置のサイクロン室の逆円錐形状の先端に、分離捕集した糸くずの機外への排出と前記除湿水管から供給された水の排水とを行う排出兼排水室を形成したものである。
【００１１】
また、衣類が収納され回転する脱水槽に温風を供給して前記衣類の乾燥を行う衣類乾燥機において、サイクロン室と前記サイクロン室の側面の接線方向に形成する前記脱水槽内の衣類と接触した高湿温風を吸込むサイクロン吸込口と前記サイクロン室の上面中心に形成するサイクロン排出口とにより構成され、前記サイクロン室に旋回流を発生させて前記衣類から発生する糸くずの捕集を行う糸くず捕集装置を前記温風の流路途中に設け、前記旋回流に基づく遠心力により前記温風中の糸くずを分離捕集して排出し、前記サイクロン室の外壁面を冷却する手段を有し、前記衣類と接触した高湿温風が吸込まれるサイクロン室の内壁面に結露させて除湿を行い、前記糸くず捕集装置のサイクロン室に、分離捕集した糸くずの機外への排出と前記除湿水管から供給された水の排水とを行う排出兼排水室を形成したものである。
【００１２】
また、外箱内部に弾性的に吊支した水槽と、回転中心軸を鉛直方向に有し前記水槽内に回転自在に支持し衣類を収容する脱水槽と、前記脱水槽の内底部に回転自在に設けた撹拌翼と、前記脱水槽または撹拌翼を駆動する駆動手段と、前記脱水槽内に温風が供給されて脱水槽内に収容される衣類に接触させて乾燥を行うものであって、前記衣類と接触した高湿温風を排出する吹出口を前記水槽の上方に形成し、サイクロン室と前記サイクロン室の側面の接線方向に形成する前記脱水槽内の衣類と接触した高湿温風を吸込むサイクロン吸込口と前記サイクロン室の上面中心に形成するサイクロン排出口とにより構成される糸くず捕集装置を有し、前記糸くず捕集装置を前記水槽の上方に位置するように前記糸くず捕集装置のサイクロン吸込口と前記吹出口とを接続し、前記サイクロン室に旋回流を発生させて前記衣類から発生する糸くずの捕集を行うものである。
【００１３】
また、衣類が収納され回転する脱水槽に温風を供給して前記衣類の乾燥を行う衣類乾燥機において、サイクロン室と前記サイクロン室の側面の接線方向に形成する前記脱水槽内の衣類と接触した高湿温風を吸込むサイクロン吸込口と前記サイクロン室の上面中心に形成するサイクロン排出口とにより構成され、前記サイクロン室に旋回流を発生させて前記衣類から発生する糸くずの捕集を行う糸くず捕集装置を前記温風の流路途中にある前記脱水槽の上部開口を覆う開閉自在な内フタに設け、前記旋回流に基づく遠心力により前記温風中の糸くずを分離捕集して前記糸くず捕集装置の集塵ボックス内に溜めるものである。
【００１４】
また、前記集塵ボックスは、前記糸くず捕集装置のサイクロン室に隣接し、取り外し可能に接続したものである。
また、前記集塵ボックスは、透明な材質で形成されるものである。
【００１５】
【発明の実施の形態】
実施の形態１．
図１はこの発明の実施の形態１である空気循環路を有する家電機器である洗濯乾燥機の断面図である。図において、１は外箱、２は外箱１内に弾性的に吊支される水槽、３は回転中心軸を鉛直方向に有し前記水槽内に回転自在に支持し衣類４を収容する脱水槽、５は内フタ５ａを有し、衣類４を出し入れする水槽２の上部に出し入れ口２ａを形成するトップカバー、６はトップカバー５の上面を覆うように形成されるフタ、７は水槽３内に乾燥風を循環させる乾燥風循環路、８はトップカバー４に接続する乾燥風循環路７の吹出口、９は乾燥封循環路７の経路途中に設け脱水槽３内に送風を行なう送風手段である送風機、１０は乾燥風循環路７の経路途中に設け送風機９により送風される空気を加熱する加熱手段であるヒータ、１１は乾燥風循環路７の経路途中に設けた糸くず捕集装置、１２は洗濯行程時の排水及び乾燥行程時の乾燥風が排出される水槽２の底部に形成された排水兼排気口、１３は排水兼排気口１２の近傍の乾燥風循環路７の経路途中に設けられる排水弁、１４は排水弁１３に設けられた排水口、１５は衣類５から発生した埃などを含んだ糸くず、１６は脱水槽３の中央底部に回転自在に設けた攪拌翼、１７は攪拌翼１６及び脱水槽３を選択的に回転させる駆動手段であるモータである。
【００１６】
次に、糸くず捕集装置１１について詳しく説明する。図２は（ａ）糸くず捕集装置１１の斜視図、（ｂ）糸くず捕集装置１１の断面図であり、糸くず捕集装置１１は、上部が円筒で下部が逆円錐形状のサイクロン室１８とサイクロン室１８の逆円錐形状の先端に接続される排気兼除湿室１９とからなり、サイクロン室１８にはサイクロン室１８の側壁面の接線方向に向いて接続するサイクロン吸込口２０とサイクロン室１８の上面中心から上方へ向くサイクロン排出口２１とサイクロン室１８内に水を供給する除湿水管２２が形成され、排気兼除湿室１９には排気兼排水口２３が形成される。
【００１７】
このように構成された洗濯乾燥機における動作について、洗濯乾燥機の運転動作に沿って説明する。まず、洗濯行程が開始され、排水弁１３を閉じ、給水管（図示せず）から脱水槽３内に貯水が行われる。所定水位まで貯水されると、モータ１７に電源が投入されて攪拌翼１６が回転し、攪拌翼１６の回転により衣類５は攪拌されて洗濯される。その後、すすぎ行程に移り、再度脱水槽３内に給水し、洗濯行程と同様にして衣類５をすすぐ。脱水行程ではすすぎ終了後、脱水槽３内の水を排水弁１３を開いて排水した後、モータ１７の回転を攪拌翼１６から脱水槽３に切り換えて、脱水槽３を回転させ遠心力により水分を衣類５から分離し、脱水を行う。
【００１８】
次に、乾燥行程に移行する。まず、排水弁１３を閉じる。そして、送風機９を回転し、空気の流れを起こす。空気の流れは、図１の矢印の方向に流れ、ヒータ１０を通過して加熱され、吹出口８から脱水槽３内に温風が吹き出される。温風は脱水槽３の中の濡れて水分を含んでいる衣類５と接触し、衣類５に含まれている水分を蒸発させて気化し、高湿温風の空気となって排水兼排気口１２から乾燥風循環路７に循環される。乾燥行程で発生した糸くず１５は、乾燥風循環路７を循環する高湿温風の空気とともに循環し、糸くず捕集装置１１を通過する。
【００１９】
糸くず捕集装置１１では、乾燥行程で発生した糸くず１５を伴った高湿温風の空気がサイクロン吸込口１９からサイクロン室１８へ入る。このとき、サイクロン吸込口１９がサイクロン室１８の壁面の接線方向に向いて形成されていることから、サイクロン室１８内部に高湿温風の空気の流れとして入ってくると、遠心力の作用によって多湿の温風は渦を巻きながらサイクロン室１８内で旋回流（サイクロン）を起こす。この旋回流に乗って糸くず１５も遠心力の作用を受け、サイクロン室１８の壁面に沿って回転し、同時に糸くず１５は重力も受けているので徐々に下降して排気兼除湿室１９に落ち、排気兼排水口２３から機外へと排出される。このようにして、糸くず１５の集塵が行われる。
【００２０】
このときに、除湿水管２２からサイクロン室１８内に水を供給する。水はサイクロン室１８の壁面に沿って旋回流に乗って流れ、糸くず１３と同様に排気兼除湿室１９に入り、排気兼排水口２３から機外へ排水される。このようにして、サイクロン室１８の壁面に沿って水を流すことで、高湿の空気を冷却し、高湿の空気に含まれている水分を結露することで除湿をし、結露した水は除湿水管２２から供給した水と一緒に排気兼除湿室１９に流れて排気兼排水口２３から機外へ排水される。
【００２１】
このようにして、集塵および除湿が行われた空気は、遠心力と重力の影響が小さいため、サイクロン排出口２１から排出される。
【００２２】
このように、実施の形態１の乾燥機用の糸くず捕集装置は、糸くず１５による目詰まりが一切起こらない構造で糸くず捕集を行うことができ、目詰まりによりヒータ９を通過する空気の量が減ってヒータ９が過加熱状態になるという不具合を起こすこともない安全性の高い乾燥機用の糸くず捕集装置を得ることができる。また、糸くず１５は機外へ排出されるので、フィルタ掃除などのメンテナンスが一切必要なく、使い勝手の良い乾燥機を得ることができる。
【００２３】
実施の形態２．
図３はこの発明の実施の形態２を示す空気循環路を有する家電機器である洗濯乾燥機の断面図、図４は（ａ）糸くず捕集装置6の斜視図(Ｂ)糸くず捕集装置の断面図である。図において、１〜１０、１２〜２１、２３は上記実施の形態１と同一でありその説明は省略する。図において、２４は乾燥風循環路７の経路途中に設けた糸くず捕集装置で、サイクロン室１８と排気兼除湿室１９とサイクロン吸込口２０とサイクロン排出口２１と排気兼排水口２３とサイクロン室１８を取り囲むように形成された除湿用水室２５と除湿用水室２５内に水を供給する除湿水管２６と除湿用水室２５の上部と排気兼除湿室１９を接続するオーバーフロー水管２７とで構成される。
【００２４】
このように構成された洗濯乾燥機における動作について、洗濯乾燥機の運転動作に沿って説明する。なお、洗濯行程から脱水行程までの動作は上記実施の形態１と同じであり、説明は省略する。乾燥行程では、まず、排水弁１３を閉じる。そして、送風機９を回転し、空気の流れを起こす。空気の流れは、図３の矢印の方向に流れ、ヒータ１０を通過して加熱され、吹出口８から脱水槽３内に温風が吹き出される。温風は脱水槽３の中の濡れて水分を含んでいる衣類５と接触し、衣類５に含まれている水分を蒸発させて気化し、高湿温風の空気となって排水兼吸込口１２から乾燥風循環路７に循環される。乾燥行程で発生した糸くず１５は、乾燥風循環路７を循環する高湿温風の空気とともに循環し、糸くず捕集装置１１を通過する。
【００２５】
糸くず１５を伴った高湿温風の空気がサイクロン吸込口２０からサイクロン室１８へ入る。このとき、サイクロン吸込口１９がサイクロン室１８の壁面の接線方向に向いて形成されていることから、高湿温風が乾燥風循環路７からサイクロン吸込口１９を通ってサイクロン室１８内部に空気の流れとして入ってくると、遠心力の作用によって多湿の温風は渦を巻きながらサイクロン室１８内で旋回流（サイクロン）を起こす。この旋回流に乗って糸くず１５も遠心力の作用を受け、サイクロン室１８の壁面に沿って回転し、同時に糸くず１５は重力も受けているので徐々に降下して、排気兼除湿室１９に落ち、排気兼排水口２３から機外へ排出される。このようにして、糸くず１５の集塵が行われる。
【００２６】
このとき、除湿水管２６から除湿用水室２５内に水が供給され満水になる。そして、除湿用水室２６に満たされた水によってサイクロン室１８の壁面が冷され、乾燥風循環路７からサイクロン吸込口１９を通ってサイクロン室１８内に入ってきた多湿の温風はサイクロン室１８の壁面に接触して冷される。冷された多湿の温風は温度が下がった分だけ結露し、結露した水はサイクロン室１８の壁面を流れて排気兼除湿室１９に落ち、排気兼排水口２３から機外へ排水される。また、除湿用水室２５に溜まった水は、オーバーフロー水管２７から溢れ出て排気兼除湿室１９に流れ、排気兼排水口２３から機外へ排水される。
【００２７】
このようにして、糸くず１５が取り除かれ、除湿された空気は、遠心力と重力の影響が小さいので、サイクロン排出口２１から排出される。
【００２８】
このように、実施の形態２の洗濯乾燥機は、糸くず１５による目詰まりが一切起こらない構造で糸くず捕集を行うことができ、目詰まりによりヒータ９を通過する空気の量が減ってヒータ９が過加熱状態になるという不具合を起こすこともない安全性の高い乾燥機を得ることができる。さらに、糸くず１５は機外へ排出されるので、フィルタ掃除などのメンテナンスが一切必要なく、使い勝手の良い乾燥機を得ることができる。
また、サイクロン室１８内に水を供給しないで多湿の温風の除湿を行うため、万が一水しぶきが発生した際にサイクロン排出口２１から水が排出してしまうおそれがない。
【００２９】
実施の形態３．
図５はこの発明の実施の形態３を示す空気循環路を有する家電機器である洗濯乾燥機の断面図である。図において、１〜４、８〜１０、１２〜２３は上記実施の形態１と、２４は上記実施の形態２と同一であり、その説明は省略する。図において、２８は排水弁９と連通する排水管、２９は糸くず１５や高湿の空気を吸い込む吸込口で、サイクロン吸込口１９に連通する。
【００３０】
このように構成された空気循環路を有する家電機器に搭載された糸くず捕集装置における動作を、洗濯乾燥機における運転動作に沿って説明する。なお、洗濯行程から脱水行程までの動作は上記実施の形態１と同じであり、説明は省略する。乾燥行程では、まず、排水弁１３を閉じる。そして、送風機９を回転し、空気の流れを起こす。空気の流れは、図１の矢印の方向に流れ、ヒータ１０を通過して加熱され、吹出口８から脱水槽３内に温風が吹き出される。温風は脱水槽３の中にある濡れて水分を含んでいる衣類５に接触し、衣類５に含まれている水分を蒸発させて気化し、温風は高湿温風の空気となる。そして、温風が衣類５に接触したときに、衣類５から糸くず１５なども発生し、高湿温風の空気には糸くず１５なども一緒に流れてくる。そして、高湿温風の空気は、脱水槽３の上部に形成された吸込口２９から糸くず捕集装置１１のサイクロン吸込口１９へと入り、上記実施の形態１または２の糸くず捕集装置１１と同様にして集塵および除湿が行われる。そして、サイクロン排出口２１から集塵および除湿された空気が送風機９に戻り、高湿温風から除湿された水分および糸くず１５は排気件排水口２０から排水および排出される。この循環を繰り返して衣類５の乾燥が行われる。
【００３１】
このように、高湿温風を糸くず集塵装置２４に導く乾燥風循環路を形成しないので、洗濯乾燥機の外形が小さくできる。なお、糸くず捕集装置２４は、上記実施の形態１の糸くず捕集装置１１でも同様の効果を得ることができる。
【００３２】
実施の形態４．
図６は、この発明の実施の形態４を示す空気循環路を有する家電機器である洗濯乾燥機の断面図である。なお、１〜７、９、１０、１２〜１７は上記実施の形態１と同一であり、その説明は省略する。３０は衣類５を出し入れする水槽２の上部の出し入れ口２ａの上部の出し入れ口２ａを開閉自在に塞ぐ内フタ５ａを有し、脱水槽３の上部開口を覆う中フタ、３１は中フタ３０に形成された温風入口で、脱水槽３内に送風をする送風機３２ａと送風機３２ａにより送風される空気を加熱するヒータ３２ｂからなる加熱送風手段３２から温風が吹き込まれる。３３は水槽２内の衣類５に接触した高湿温風を排出する中フタ３０に穿設した吹出口、３４は吹出口３３に着脱自在に取り付けられる糸くず捕集装置である。
【００３３】
次に、糸くず捕集装置３４について説明する。図７は（ａ）糸くず捕集装置３４の斜視図、（ｂ）糸くず捕集装置３４の断面図、（ｃ）糸くず捕集装置３４の集塵ボックス３８の斜視図、図８は糸くず捕集装置３４を配設した中フタ３０の斜視図である。図において、３５は旋回流を作る円筒容器、３６は円筒容器３５の底面に穿設された吹出口３３と接続する流入口、３７は円筒容器３５の側壁面に形成されたリント収集口、３８はリント収集口３７に取り外し可能に接続される透明な材質でできた集塵ボックス、３９は円筒容器３５の略中心天面に穿設された排気口、４０は円筒容器３５の排気口３９に配設されるフィルタである。
【００３４】
このように構成された洗濯乾燥機における動作について説明する。なお、洗濯行程から脱水行程までの動作は上記実施の形態１と同一であり、その説明は省略する。乾燥行程では、まず排気弁１３を閉じる。そして、送風機３２ｂをを回転し、空気の流れを起こす。空気の流れは図６の矢印の方向に流れ、ヒータ３２ｂを通過して加熱され、温風入口３１から脱水槽３内に温風が吹出される。温風は脱水槽３内の濡れて水分を含んでいる衣類５と接触し、衣類５に含まれている水分を蒸発させて気化し、高湿温風の空気となる。そして、温風が衣類５に接触したときに、衣類５から糸くず１５も発生し、高湿温風の空気には糸くず１５も一緒に流れてくる。そして、高湿温風の空気は、脱水槽３の上部の中フタ３０に形成された吹出口３３から円筒容器３５内へ入る。このとき、高湿温風の空気は円筒容器３５の底面の流入口３６から外周接線方向に流入し、円筒容器３５内で旋回流となる。糸くず１５もこの旋回流に乗って円筒容器３５内を回転し、回転で生ずる遠心力により円筒容器３５の側壁面に押しつけられながら移動する。そして、糸くず１５は遠心力により円筒容器３５の側壁面にあるリント収集口３７から集塵ボックス３８内に移動する。この集塵ボックス３８は閉空間であり、空気の出入りははあるがその風速は円筒容器３５内の旋回流の風速に比べ極めて小さいものであり、旋回流から受ける遠心力の方が大きいので、集塵ボックス３８内に入った糸くず１５は再び円筒容器３５内へ移動することはない。その結果、集塵ボックス３８内に糸くず１５が溜まっていく。そして、円筒容器３５内の旋回流の空気は、旋回しながら円筒容器３５の天面の略中心に設けた排気口３９に向かって移動し、フィルタ４０を経由して排気される。
【００３５】
そして、集塵ボックス３８内の糸くず１５は、透明な材質で形成されているので溜まり具合を外から目視で確認することができ、円筒容器３５から取り外して集塵ボックス３８内の糸くず１５を排気できる。また、集塵ボックス３８は中フタ３０の上面に設けられているので、脱水槽３内の衣類５の出し入れの際の中フタ３０の開閉時に集塵ボックス３６内の糸くず１５を排気することを容易に喚起することができ、楽に作業することができる。
【００３６】
なお、上記実施の形態１〜３では、上述したような糸くず捕集装置を縦型の洗濯乾燥機に設けたものとしているが、これに限るものではなく、ドラム式乾燥機やドラム式洗濯乾燥機など乾燥機能を有する家電機器などに上記実施の形態１〜３の糸くず捕集装置を設けたものであっても同様の効果を奏するものである。
【００３７】
また、エアコンや空気清浄機、除湿機など室内の空気の循環が行なわれる空気循環路を形成するもので、フィルター機能を有する家電機器などに上記実施の形態１〜３の糸くず捕集装置を設けても同様の効果を奏することができる。
【００３８】
また、上記実施の形態１〜４の糸くず捕集装置は、除湿水管により水を供給して除湿を糸くず捕集装置内で行なえるものとしているが、糸くず捕集装置に除湿機能は設けずに糸くずの捕集のみを行い、別に除湿機能を別途設けたものであっても良い。
【００３９】
【発明の効果】
この発明は、以上説明したように構成されているので、以下のような効果を奏する。
【００４０】
室内の空気を吸込み、加熱または冷却または除湿または浄化などを行ってから前記室内へ排気させる空気流路を有し、前記空気流路の途中にフィルター機能を有する家電機器において、前記フィルター機能を、サイクロン室と前記サイクロン室の側面の接線方向に形成する前記室内の吸込んだ空気を吸込むサイクロン吸込口と前記サイクロン室の上面中心に形成するサイクロン排出口とにより構成され、前記サイクロン室に旋回流を発生させて前記室内の吸込んだ空気中の埃や糸くずなどの捕集を行う糸くず捕集装置としたので、糸くずによる目詰まりが一切起こることがないため、空気の加熱または冷却または除湿または浄化などの機能に影響することがなく、フィルター機能の使い勝手のよい空気循環路を有する家電機器を得ることができる。
【００４１】
また、衣類が収納され回転する脱水槽に温風を供給して前記衣類の乾燥を行う衣類乾燥機において、サイクロン室と前記サイクロン室の側面の接線方向に形成する前記脱水槽内の衣類と接触した高湿温風を吸込むサイクロン吸込口と前記サイクロン室の上面中心に形成するサイクロン排出口とにより構成され、前記サイクロン室に旋回流を発生させて前記衣類から発生する糸くずの捕集を行う糸くず捕集装置を前記温風の流路途中に設け、前記旋回流に基づく遠心力により前記温風中の糸くずを分離捕集して排出するので、糸くずによる目詰まりが一切起こらない衣類乾燥機を得ることができる。
【００４２】
また、前記糸くず捕集装置のサイクロン室に、分離捕集した糸くずを機外へ排出する排気室を形成したので、フィルター掃除などのメンテナンスが一切必要なく、使い勝手の良い乾燥機を得ることができる。
【００４３】
また、前記サイクロン室内に水を供給し、前記衣類と接触した高湿温風の水冷除湿を行う除湿水管を設け、前記糸くず捕集装置のサイクロン室に、分離捕集した糸くずの機外への排出と前記除湿水管から供給された水の排水とを行う排出兼排水室を形成したので、糸くず捕集装置で糸くず捕集と同時に除湿を行うことができる。
【００４４】
また、前記サイクロン室の外壁面を冷却する手段を有し、前記衣類と接触した高湿温風が吸込まれるサイクロン室の内壁面に結露させて除湿を行い、前記糸くず捕集装置のサイクロン室に、分離捕集した糸くずの機外への排出と前記除湿水管から供給された水の排水とを行う排出兼排水室を形成したので、糸くず捕集装置で糸くず捕集と同時に除湿を行うことができる。
【００４５】
また、外箱内部に弾性的に吊支した水槽と、回転中心軸を鉛直方向に有し前記水槽内に回転自在に支持し衣類を収容する脱水槽と、前記脱水槽の内底部に回転自在に設けた攪拌翼と、前記脱水槽または攪拌翼を駆動する駆動手段と、前記脱水槽内に送風する送風手段と、前記送風手段により送風される空気を加熱する加熱手段とを備え、前記脱水槽内に温風が供給されて脱水槽内に収容される衣類に接触させて乾燥を行なうものであって、前記衣類と接触した高湿温風を排出する吹出口を前記脱水槽の上方に形成し、サイクロン室と前記サイクロン室の側面の接線方向に形成する前記脱水槽内の衣類と接触した高湿温風を吸込むサイクロン吸込口と前記サイクロン室の上面中心に形成するサイクロン排出口とにより構成される糸くず捕集装置を有し、前記糸くず捕集装置のサイクロン吸込み口と前記吹出口とを接続し、前記サイクロン室に旋回流を発生させて前記衣類から発生する糸くずの捕集を行うので、送風手段からの温風の循環を最短距離で行なえ、乾燥風循環路などを形成することなく温風を循環でき、洗濯乾燥機の外形を小さくすることができる。
【００４６】
また、前記糸くず捕集装置は、着脱自在で透明な材質で形成される集塵ボックスを備えたので、集塵ボックスが透明な材質で形成されているので糸くずの溜まり具合を外から目視で確認でき、集塵ボックスを取り外して容易に糸くずを廃棄することができる。
【図面の簡単な説明】
【図１】  この発明の実施の形態１を示す空気循環路を有する家電機器である洗濯乾燥機の断面図である。
【図２】（ａ）この発明の実施の形態１を示す空気循環路を有する家電機器である洗濯乾燥機の糸くず捕集装置の斜視図である。
（ｂ）この発明の実施の形態１を示す空気循環路を有する家電機器である洗濯乾燥機の糸くず捕集装置の断面図である。
【図３】  この発明の実施の形態２を示す空気循環路を有する家電機器である洗濯乾燥機の断面図である。
【図４】（ａ）この発明の実施の形態２を示す空気循環路を有する家電機器である洗濯乾燥機の糸くず捕集装置の斜視図である。
（ｂ）この発明の実施の形態２を示す空気循環路を有する家電機器である洗濯乾燥機の糸くず捕集装置の断面図である。
【図５】  この発明の実施の形態３を示す空気循環路を有する家電機器である洗濯乾燥機の断面図である。
【図６】  この発明の実施の形態４を示す空気循環路を有する家電機器である洗濯乾燥機の断面図である。
【図７】（ａ）この発明の実施の形態４を示す空気循環路を有する家電機器である洗濯乾燥機の糸くず捕集装置の斜視図である。
（ｂ）この発明の実施の形態４を示す空気循環路を有する家電機器である洗濯乾燥機の糸くず捕集装置の断面図である。
（ｃ）この発明の実施の形態５を示す空気循環路を有する家電機器である洗濯乾燥機の糸くず捕集装置の集塵ボックスの斜視図である。
【図８】  この発明の実施の形態４を示す空気循環路を有する家電機器である洗濯乾燥機の中フタの斜視図である。
【図９】  従来の空気循環路を有する家電機器である洗濯乾燥機を示す断面図である。
【図１０】  従来の空気循環路を有する家電機器である洗濯乾燥機を示す糸くず回収装置の断面図である。
【符号の説明】
１  外箱、２  水槽、３  脱水槽、４  衣類、５  トップカバー、６  フタ、７  乾燥風循環路、８  吹出口、９  送風機、１０  ヒータ、１１  糸くず捕集装置、１２  排水兼排気口、１３  排水弁、１４  排水口、１５  糸くず、１６攪拌翼、１７  モータ、１８  サイクロン室、１９  排気兼除湿室、２０  サイクロン吸込口、２１  サイクロン排出口、２２  除湿水管、２３  排気兼排水口。
【図１】
0003902041.tif 000002
【図２】
0003902041.tif 000003
【図３】
0003902041.tif 000004
【図４】
0003902041.tif 000005
【図５】
0003902041.tif 000006
【図６】
0003902041.tif 000007
【図７】
0003902041.tif 000008
【図８】
0003902041.tif 000009
【図９】
0003902041.tif 000010
【図１０】
0003902041.tif 000011